(57)【要約】      （修正有）【課題】操作感が損なわれない湾曲操作ノブアタッチメントの取付構造を提供する。【解決手段】左右用湾曲操作ノブ１２の指掛け凹部２７は、左右用湾曲操作ノブ１２の厚み方向中央部が半径方向外側に向かって膨らむ膨らみ部２９と、膨らみ部２９から取付側端面に向けて内側に傾斜した第１傾斜部３０とを有する。湾曲操作ノブアタッチメント３５の周壁部は、指掛け凹部２７に形成された第１傾斜部３０と対面する位置に、取付側端面に向けて内側に傾斜した第１突出部が設けられている。左右用湾曲操作ノブ１２に、軸方向外側から湾曲操作ノブアタッチメント３５を取り付けることによって、第１突出部と第１傾斜部３０とが密着して係止される。これにより、湾曲操作ノブアタッチメント３５が左右用湾曲操作ノブ１２に取り付けられる。【選択図】図２
0003181928.tif 000002
【実用新案登録請求の範囲】
【請求項１】
周方向に指掛け凸部と指掛け凹部とが交互に形成された湾曲操作ノブに軸方向外側から取り付けられ、前記湾曲操作ノブの外周面を覆う周壁部と、前記外周面付近の外側端面を覆う側壁部とを備える湾曲操作ノブアタッチメントの取付構造において、
前記指掛け凹部は、前記湾曲操作ノブの厚み方向中央部が半径方向外側に向かって膨らんだ膨らみ部と、前記膨らみ部から前記湾曲操作ノブの取付側端面に向けて内側に傾斜した第１傾斜部とを有し、
前記周壁部は、前記取付側端面に向けて内側に傾斜して前記第１傾斜部に密着する第１突出部を有することを特徴とする湾曲操作ノブアタッチメントの取付構造。
【請求項２】
前記指掛け凸部は、最外周面に前記取付側端面に向けて内側に傾斜した第２傾斜部を有し、
前記周壁部は、前記取付側端面に向けて内側に傾斜して前記第２傾斜部に密着する第２突出部を有することを特徴とする請求項１記載の湾曲操作ノブアタッチメントの取付構造。
【請求項３】
前記指掛け凸部は、前記最外周面に軸方向に延びたスリップ防止溝を有し、
前記第２傾斜部は、前記スリップ防止溝から前記取付側端面に向けて内側に傾斜した傾斜溝を有し、
前記第２突出部は、前記取付側端面に向けて内側に傾斜して前記傾斜溝と密着する突条傾斜部を有することを特徴とする請求項２記載の湾曲操作ノブアタッチメントの取付構造。
【請求項４】
前記指掛け凸部は、前記最外周面が内側に凹んだ係止凹部を有し、
前記周壁部は、前記係止凹部に係止する係止爪を有することを特徴とする請求項３記載の湾曲操作ノブアタッチメントの取付構造。
【請求項５】
前記係止凹部は、前記傾斜溝内に設けられることを特徴とする請求項４記載の湾曲操作ノブアタッチメントの取付構造。
【請求項６】
前記係止凹部は、前記取付側端面の端縁に向けて形成されることを特徴とする請求項４または請求項５記載の湾曲操作ノブアタッチメントの取付構造。
【請求項７】
前記湾曲操作ノブアタッチメントは、前記指掛け凸部の最外周面に向かうに従い、前記取付側端面から離れる方向に傾斜して指抜き用の隙間を形成する指抜き面を有することを特徴とする請求項１から請求項６のいずれか1項記載の湾曲操作ノブアタッチメントの取付構造。
【請求項８】
前記湾曲操作ノブアタッチメントは、エラストマー製であることを特徴とする請求項１から請求項７のいずれか１項記載の湾曲操作ノブアタッチメントの取付構造。
【考案の詳細な説明】
【技術分野】
【０００１】
本考案は、内視鏡用の湾曲操作ノブアタッチメントの取付構造に関するものである。
【背景技術】
【０００２】
医療分野において、電子内視鏡を利用した内視鏡診断が広く普及している。電子内視鏡は、患者の体腔内に挿入される挿入部と、術者が操作する操作部とを備える。挿入部は、先端から順に、先端部、湾曲部、及び可撓管部で構成される。先端部には、観察窓、照明窓、鉗子出口、及び送気・送水口等が設けられている。可撓管部は、可撓性を有する長尺な管状に形成され、操作部と湾曲部との間を接続する。湾曲部は、操作部に設けられた上下用湾曲操作ノブ及び左右用湾曲操作ノブを回転操作することで、上下及び左右に湾曲する。
【０００３】
この上下及び左右用湾曲操作ノブは、電子内視鏡の製造段階で操作部に組みつけられるものであるため着脱や交換が容易ではない。そのため、術者の手の大きさが湾曲操作ノブの外径と合わなければ、湾曲操作ノブの操作に支障を来たすおそれがある。そこで、特許文献１のように、湾曲操作ノブの操作を容易にするために、術者の手の大きさに対応させて、湾曲操作ノブに着脱自在に取り付ける湾曲操作ノブアタッチメントが開示されている。
【先行技術文献】
【特許文献】
【０００４】
【特許文献１】特開２００７−２２２６５１号公報
【考案の概要】
【考案が解決しようとする課題】
【０００５】
しかしながら、特許文献１は、湾曲操作ノブの表面と裏面とを挟むように湾曲操作ノブアタッチメントが取り付けられているため、湾曲操作ノブアタッチメントの一部が湾曲操作ノブの裏面よりも下側にはみ出してしまう。このように、湾曲操作ノブアタッチメントが湾曲操作ノブの下側にはみ出してしまうと、指抜き用の隙間が狭くなるために、湾曲操作ノブの操作感が損なわれてしまうだけでなく、操作を誤ることも問題となる。
【０００６】
本考案は、上記課題を鑑みてなされたものであり、操作感が損なわれない湾曲操作ノブアタッチメントの取付構造を提供することを目的とする
【課題を解決するための手段】
【０００７】
上記目的を達成するため、本考案の湾曲操作ノブアタッチメントの取付構造は、周方向に指掛け凸部と指掛け凹部とが交互に形成された湾曲操作ノブに軸方向外側から取り付けられ、湾曲操作ノブの外周面を覆う周壁部と、外周面付近の外側端面を覆う側壁部とを備える湾曲操作ノブアタッチメントの取付構造において、指掛け凹部は、湾曲操作ノブの厚み方向中央部が半径方向外側に向かって膨らんだ膨らみ部と、膨らみ部から湾曲操作ノブの取付側端面に向けて内側に傾斜した第１傾斜部とを有し、周壁部は、取付側端面に向けて内側に傾斜して第１傾斜部に密着する第１突出部を有する。
【０００８】
指掛け凸部は、最外周面に取付側端面に向けて内側に傾斜した第２傾斜部を有し、周壁部は、取付側端面に向けて内側に傾斜して第２傾斜部に密着する第２突出部を有することが好ましい。
【０００９】
指掛け凸部は、最外周面に軸方向に延びたスリップ防止溝を有し、第２傾斜部は、スリップ防止溝から取付側端面に向けて内側に傾斜した傾斜溝を有し、第２突出部は、取付側端面に向けて内側に傾斜して傾斜溝と密着する突条傾斜部を有することが好ましい。
【００１０】
指掛け凸部は、最外周面が内側に凹んだ係止凹部を有し、周壁部は、係止凹部に係止する係止爪を有することが好ましい。また、係止凹部は、傾斜溝内に設けられることが好ましく、さらには、取付側端面の端縁に向けて形成されることがより好ましい。
【００１１】
湾曲操作ノブアタッチメントは、指掛け凸部の最外周面に向かうに従い、取付側端面から離れる方向に傾斜して指抜き用の隙間を形成する指抜き面を有することが好ましい。また、湾曲操作ノブアタッチメントは、エラストマー製であることが好ましい。
【考案の効果】
【００１２】
本考案によれば、操作感を損なわずに、湾曲操作ノブアタッチメントを取り付けることができる。
【図面の簡単な説明】
【００１３】
【図１】本考案の湾曲操作ノブアタッチメントの取付構造を有する電子内視鏡の外観を示す側面図である。
【図２】本考案の湾曲操作ノブアタッチメントの取付構造を有する電子内視鏡の操作部の斜視図である。
【図３】操作部を示す図１におけるIII−III線に沿う断面図である。
【図４】湾曲操作ノブアタッチメントを斜め下から見た斜視図である。
【図５】湾曲操作ノブに第１実施形態の湾曲操作ノブアタッチメントを取り付ける直前の状態を示す図１のIII−III線相当の指掛け凹部断面図である。
【図６】湾曲操作ノブに第１実施形態の湾曲操作ノブアタッチメントを取り付ける途中の状態を示す図１のIII−III線相当の指掛け凹部断面図である。
【図７】湾曲操作ノブに第１実施形態の湾曲操作ノブアタッチメントを取り付ける直前の状態を示す図１のVII−VII線相当の指掛け凸部断面図である。
【図８】湾曲操作ノブに第１実施形態の湾曲操作ノブアタッチメントを取り付ける途中の状態を示す図１のVII−VII線相当の指掛け凸部断面図である。
【図９】湾曲操作ノブに第１実施形態の湾曲操作ノブアタッチメントの取り付け完了状態を示す図１のVII−VII線相当の指掛け凸部断面図である。
【図１０】湾曲操作ノブに第２実施形態の湾曲操作ノブアタッチメントを取り付ける直前の状態を示す図１のVII−VII線相当の指掛け凸部断面図である。
【図１１】湾曲操作ノブに第２実施形態の湾曲操作ノブアタッチメントを取り付ける途中の状態を示す図１のVII−VII線相当の指掛け凸部断面図である。
【図１２】湾曲操作ノブに第２実施形態の湾曲操作ノブアタッチメントの取り付け完了状態を示す図１のVII−VII線相当の指掛け凸部断面図である。
【考案を実施するための形態】
【００１４】
（第１実施形態）
図１に示すように、電子内視鏡２は、体内に挿入される挿入部３と、挿入部３の基端部分に連設された操作部４と、操作部４に連接され、外部機器であるプロセッサ装置（図示せず）に着脱可能なユニバーサルコード５とを備える。
【００１５】
挿入部３は、先端から順に、先端部６、湾曲部７、及び可撓管部８で構成されている。先端部６には、入射した観察部位の像を撮像する撮像ユニットが内蔵されている。この撮像ユニットで得られた画像信号は、挿入部３及び操作部４内に挿通された信号ケーブル（図示せず）及びユニバーサルコード５を介してプロセッサ装置に送信される。そして、プロセッサ装置によって各種画像処理が施され、モニタ（図示せず）に観察画像として表示される。
【００１６】
また、先端部６は、ライトガイド（図示せず）を介して観察部位に照明光を照射させる。ライトガイドは、挿入部３、操作部４、及びユニバーサルコード５を通り、コネクタを介して光源装置（図示せず）に接続されている。
【００１７】
湾曲部７は、先端部６の基端側に連設されて、操作部４の操作に連動して上下方向及び左右方向に湾曲動作する。可撓管部８は、可撓性を有し、操作部４と湾曲部７との間を接続する。可撓管部８は、先端部６を体内の目的の位置に到達させるために数ｍの長さをもつ。
【００１８】
図２に示すように、操作部４は、ケース９と、上下用湾曲操作ノブ１１と、左右用湾曲操作ノブ１２と、ロックレバー１３と、ロックダイヤル１４とを有する。ケース９は操作部４の外装である。上下用湾曲操作ノブ１１は、湾曲部７を上下方向に湾曲させる。左右用湾曲操作ノブ１２は、湾曲部７を左右方向に湾曲させる。ロックレバー１３は、上下用湾曲操作ノブ１１の回転操作のロックと解除を切り替える。ロックダイヤル１４は、左右用湾曲操作ノブ１２の回転操作のロックと解除を切り替える。なお、上述の上下方向とは、例えば、モニタに表示される映像が上下方向に移動することと対応している。左右方向とは、例えば、モニタに表示される映像が左右方向に移動することと対応している。
【００１９】
また、操作部４には、鉗子口１５、送気・送水ボタン１６、及び吸引ボタン１７が設けられている。鉗子口１５には、患部の治療に用いられる鉗子や注射針といった処置具が挿通され、挿入部３内に設けられた鉗子チャンネルを介して先端部６に設けられた鉗子出口に接続される。送気・送水ボタン１６は、挿入部３内に設けられた送気・送水チャンネルに、エアー、または水等の液体を流す際に操作される。吸引ボタン１７は、体内の液体や組織等の吸引物を、挿入部３内に設けられた鉗子チャンネルを通じて吸引する際に操作される。
【００２０】
図３に示すように、ケース９は、支軸１８を有する。支軸１８は、操作部４の湾曲操作機構全体を支持する。この支軸１８は、ケース９に形成された開口を通して操作部４の外に突出している。この突出した支軸１８に、下から順に、ロックレバー１３、上下用湾曲操作ノブ１１、左右用湾曲操作ノブ１２、ロックダイヤル１４が取り付けられる。
【００２１】
支軸１８の外周には、左右用回転駆動筒１９と、上下用回転駆動筒２０とが配置されている。左右用回転駆動筒１９は、左右用湾曲操作ノブ１２の回転操作と連動して軸周りに回転する。上下用回転駆動筒２０は、上下用湾曲操作ノブ１１の回転操作と連動して軸周りに回転する。
【００２２】
左右用回転駆動筒１９は、左右用操作ワイヤ２１の基端が巻かれた左右用プーリ２２と一体に連結されている。左右用操作ワイヤ２１は、可撓管部８を通って湾曲部７に接続されている。これにより、左右用湾曲操作ノブ１２が回転すると、その回転方向に対応して左右用プーリ２２が回転し、左右用操作ワイヤ２１が牽引操作され、湾曲部７が左右方向に湾曲する。
【００２３】
上下用回転駆動筒２０は、上下用操作ワイヤ２３の基端が巻かれた上下用プーリ２４と一体に連結されている。上下用操作ワイヤ２３は、可撓管部８を通って湾曲部７に接続されている。これにより、上下用湾曲操作ノブ１１が回転すると、その回転方向に対応して上下用プーリ２４が回転し、上下用操作ワイヤ２３が牽引操作され、湾曲部７が上下方向に湾曲する。
【００２４】
上下用湾曲操作ノブ１１は、内部にロックレバー１３の回転操作と連動した上下用ロック機構２５を備えている。上下用ロック機構２５は、ロックレバー１３が所定のロック位置にされた場合、上下用湾曲操作ノブ１１の回転操作をロックし、湾曲部７の上下方向の湾曲状態が保持される。一方、ロックレバー１３が所定の解除位置にされた場合、上下用湾曲操作ノブ１１のロックが解除され、湾曲部７の上下方向への湾曲操作が可能となる。
【００２５】
上下用ロック機構２５は、例えば、板バネと、この板バネを押圧する押圧部材とで構成される。板バネは、上下用回転駆動筒２０の上端部分に、上下用回転駆動筒２０と一体に軸線周りに回転するように組みつけられる。押圧部材は、ロックレバー１３の回転と連動して軸方向に進退自在に取り付けられる。これにより、ロックレバー１３を所定の解除位置からロック位置に回転させれば、押圧部材が板バネを押圧して、摩擦力によって板バネの軸線周りの回転をロックする。一方、ロックレバー１３を所定のロック位置から解除位置に回転させれば、押圧部材が板バネを押圧して発生した摩擦力がなくなり、板バネが軸線周りに回転自在となってロックが解除される。
【００２６】
左右用湾曲操作ノブ１２は、内部にロックダイヤル１４の回転操作と連動した左右用ロック機構２６を備えている。左右用ロック機構２６は、ロックダイヤル１４が所定のロック位置にされた場合、左右用湾曲操作ノブ１２の回転操作をロックし、湾曲部７の左右方向の湾曲状態が保持される。一方、ロックダイヤル１４が所定の解除位置にされた場合、左右用湾曲操作ノブ１２のロックが解除され、湾曲部７の左右方向への湾曲操作が可能となる。この左右用ロック機構２６は、上述の上下用ロック機構２５とほぼ同様の構成を採ることができる。
【００２７】
図２に示したように、左右用湾曲操作ノブ１２は、指掛け凹部２７と、指掛け凸部２８とが周方向に交互に形成されている。
【００２８】
指掛け凹部２７は、膨らみ部２９と、第１傾斜部３０とを有する。膨らみ部２９は、左右用湾曲操作ノブ１２の厚み方向中央部が半径方向外側に向かって膨らむように形成されている。第１傾斜部３０は、膨らみ部２９から取付側端面に向けて内側に傾斜している。また、第１傾斜部３０は、指掛け凸部２８から指掛け凹部２７に向かうほど、傾斜する長さが徐々に長くなり、左右用湾曲操作ノブ１２の厚み方向中央部で最長となる。
【００２９】
指掛け凸部２８は、指掛け凹部２７よりも半径方向に長くなるように形成されている。指掛け凸部２８は、最外周面３１と、第２傾斜部３２と、スリップ防止溝３３と、傾斜溝３４とを有する。最外周面３１は、左右用湾曲操作ノブ１２の厚み方向中央部が、半径方向外側に向かって膨らみをもっている。第２傾斜部３２は、最外周面３１から取付側端面に向けて内側に傾斜している。スリップ防止溝３３は、最外周面３１に形成され、軸方向に延びている。傾斜溝３４は、第２傾斜部３２に形成され、スリップ防止溝３３と連通して取付側端面の端縁に向けて延びている。
【００３０】
また、左右用湾曲操作ノブ１２には、軸方向外側から湾曲操作ノブアタッチメント３５が取り付けられる。湾曲操作ノブアタッチメント３５は、左右用湾曲操作ノブ１２の指掛け凹部２７、及び指掛け凸部２８を覆うように、凹凸が周方向に交互に形成されている。また、湾曲操作ノブアタッチメント３５は、例えば、ゴム等のエラストマーで形成され、弾力性を有する。
【００３１】
図４に示すように、湾曲操作ノブアタッチメント３５は、周壁部３６と、側壁部３７と、開口３８とを有する。周壁部３６は、左右用湾曲操作ノブ１２への取付時に、左右用湾曲操作ノブ１２の外周面を覆う。側壁部３７は、左右用湾曲操作ノブ１２の外周面付近にある端面を覆う。開口３８は、ロックダイヤル１４を外部に露呈させるために側壁部３７に設けられる。
【００３２】
周壁部３６は、第１突出部３９と、第２突出部４０と、突条部４１と、突条傾斜部４２とを有する。第１突出部３９は、指掛け凹部２７に形成された第１傾斜部３０と対面する位置に取付側端面に向けて内側に傾斜している。第２突出部４０は、指掛け凸部２８に形成された第２傾斜部３２と対面する位置に取付側端面に向けて内側に傾斜している。突条部４１は、スリップ防止溝３３と嵌合するように設けられている。突条傾斜部４２は、傾斜溝３４と嵌合するように設けられている。
【００３３】
また、湾曲操作ノブアタッチメント３５は、指抜き面４３を有する。指抜き面４３は、指掛け凸部２８の最外周面３１に向かうに従って、取付側端面から離れる方向に傾斜するとともに、軸方向の肉厚が徐々に薄くなるように形成されている。この指抜き面４３により、左右用湾曲操作ノブ１２に湾曲操作ノブアタッチメント３５を取り付けた際に、指抜き面４３と上下用湾曲操作ノブ１１との間に指抜き用の隙間が形成される。また、湾曲操作ノブアタッチメント３５の外周面には、軸方向に延びたスリップ防止溝が設けられている。
【００３４】
次に、図５から図９を参照して、湾曲操作ノブアタッチメント３５の取付構造について説明する。湾曲操作ノブアタッチメント３５は、軸方向外側から左右用湾曲操作ノブ１２に取り付けられる。
【００３５】
図５に示すように、軸方向外側から湾曲操作ノブアタッチメント３５を取り付ける際は、まず第１突出部３９が膨らみ部２９と当接する。これは、左右用湾曲操作ノブ１２の指掛け凹部２７において、第１突出部３９が、膨らみ部２９よりも内側に形成された第１傾斜部３０と密着するように形成されているからである。
【００３６】
図６に示すように、湾曲操作ノブアタッチメント３５に取付方向に力を加え続けると、湾曲操作ノブアタッチメント３５が弾性変形して撓み、第１突出部３９と膨らみ部２９とが当接した状態を維持したまま取付方向に進む。
【００３７】
そして、第１突出部３９が膨らみ部２９を超えると、湾曲操作ノブアタッチメント３５が元の形状に戻るように変形し、第１突出部３９と第１傾斜部３０とが密着される。これにより、湾曲操作ノブアタッチメント３５が左右用湾曲操作ノブ１２に係止される。（図３参照）
【００３８】
このように、第１突出部３９と第１傾斜部３０とを密着させて係止すれば、湾曲操作ノブアタッチメント３５の側壁部３７と第１突出部３９とで左右用湾曲操作ノブ１２が挟持されるため、湾曲操作ノブアタッチメント３５の取付状態が保持される。
【００３９】
図７に示すように、左右用湾曲操作ノブ１２の指掛け凸部２８においては、軸方向外側から湾曲操作ノブアタッチメント３５の取付を行う際は、突条傾斜部４２がスリップ防止溝３３と当接する。これは、突条傾斜部４２が、傾斜溝３４と密着するように形成されているからである。また、第２突出部４０が第２傾斜部３２と密着するように形成されているため、第２突出部４０と最外周面３１とが当接する。
【００４０】
図８に示すように、湾曲操作ノブアタッチメント３５に取付方向に力を加え続けると、湾曲操作ノブアタッチメント３５は弾性変形して撓み、突条傾斜部４２とスリップ防止溝３３、及び、第２突出部４０と最外周面３１とが当接状態を維持したまま取付方向に進む。
【００４１】
図９に示すように、第２突出部４０が最外周面３１を超えるとともに、突条傾斜部４２がスリップ防止溝３３を超えると、湾曲操作ノブアタッチメント３５が元の形状に戻るように変形し、突条傾斜部４２と傾斜溝３４、及び、第２突出部４０と第２傾斜部３２とがそれぞれ密着される。
【００４２】
このように、突条傾斜部４２と傾斜溝３４、及び、第２突出部４０と第２傾斜部３２をそれぞれ密着させれば、側壁部３７と第２突出部４０及び突条傾斜部４２とで左右用湾曲操作ノブ１２が挟持されるため、湾曲操作ノブアタッチメント３５の取付状態を安定させることができる。
【００４３】
本実施形態のように、左右用湾曲操作ノブ１２の指掛け凹部２７において、第１傾斜部３０と第１突出部３９とを密着させて係止させれば、湾曲操作ノブアタッチメント３５が左右用湾曲操作ノブ１２の裏面よりも下側にはみ出すことがない。このため、指抜きのための隙間が狭くならず、術者は操作感を損なうことがない。また、左右用湾曲操作ノブ１２の指掛け凸部２８において、第２傾斜部３２と第２突出部４０、及び、傾斜溝３４と突条傾斜部４２とを密着させて係止させれば、湾曲操作ノブアタッチメント３５の取付状態がより安定する。
【００４４】
また、湾曲操作ノブアタッチメント３５には指抜き面４３が設けられているため、上下用湾曲操作ノブ１１と湾曲操作ノブアタッチメント３５との間に隙間が形成され、術者の指抜き動作を妨げることがない。
【００４５】
なお、本実施形態では、左右用湾曲操作ノブ１２の指掛け凸部２８に、スリップ防止溝３３、及び傾斜溝３４を設けたが、これらスリップ防止溝３３及び傾斜溝３４は省略してもよい。この場合、指掛け凸部２８における係止については、第２突出部４０と第2傾斜部３２とによって行われる。このようにすれば、左右用湾曲操作ノブ１２及び湾曲操作ノブアタッチメント３５の形成が容易となる。したがって、左右用湾曲操作ノブ１２及び湾曲操作ノブアタッチメント３５の製造工程の簡略化、及び製造コスト削減が可能となる。
【００４６】
（第２実施形態）
第１実施形態では、左右用湾曲操作ノブ１２に傾斜溝３４を形成したが、第２実施形態では、図１０に示すように、左右用湾曲操作ノブ５１には、傾斜溝３４に代えて係止凹部５２が設けられ、湾曲操作ノブアタッチメント５３には、突条傾斜部４２に代えて係止爪５４が設けられる。その他の構成は第１実施形態と同一であり、同一構成部材には、同一符号を付して重複した説明を省略している。
【００４７】
係止凹部５２は、スリップ防止溝３３内に設けられている。この係止凹部５２は、スリップ防止溝３３から内側に凹むとともに、取付側端面の端縁に向けて延びている。
【００４８】
係止爪５４は、突条部４１に設けられており、突条部４１から内側に突出している。係止爪５４は、湾曲操作ノブアタッチメント５３の取付時に係止凹部５２と嵌合される。
【００４９】
図１０から図１２を参照して、湾曲操作ノブアタッチメント５３の取り付けについて説明する。湾曲操作ノブアタッチメント５３は、軸方向外側から左右用湾曲操作ノブ５１に取り付けられる。なお、左右用湾曲操作ノブ５１の指掛け凹部２７における取り付けについては、第１実施形態と同様であるため、説明を省略する。
【００５０】
図１０に示すように、軸方向外側から湾曲操作ノブアタッチメント５３の取り付けを行う際は、係止爪５４がスリップ防止溝３３と当接する。これは、左右用湾曲操作ノブ５１の指掛け凸部２８において、湾曲操作ノブアタッチメント５３の係止爪５４は、係止凹部５２に係止する構造だからである。
【００５１】
図１１に示すように、湾曲操作ノブアタッチメント５３に取付方向に力を加え続けると、湾曲操作ノブアタッチメント５３は弾性変形して撓み、係止爪５４とスリップ防止溝３３とが当接状態を維持したまま取付方向に進む。
【００５２】
図１２に示すように、係止爪５４がスリップ防止溝３３を超えると、湾曲操作ノブアタッチメント５３が元の形状に戻るように変形し、係止爪５４と係止凹部５２とが係止される。
【００５３】
本実施形態のように、左右用湾曲操作ノブ５１の外周面に係止凹部５２を設け、この係止凹部５２に湾曲操作ノブアタッチメント５３の係止爪５４を係止させれば、操作感を損なわずに、より安定して湾曲操作ノブアタッチメント５３の取り付けを行うことができる。
【００５４】
なお、第２実施形態では、係止凹部５２をスリップ防止溝３３内に設け、係止爪５４を突条部４１に設けたが、係止凹部５２を傾斜溝３４内に設け、係止爪５４を突条傾斜部４２に設けてもよい。この場合、傾斜溝３４と突条傾斜部４２による保持に加え、係止凹部５２と係止爪５４による係止が加わるため、より安定して湾曲操作ノブアタッチメント５３の取り付けを行うことができる。
【００５５】
また、第２実施形態では、係止凹部５２と係止爪５４を係止させたが、係止凹部５２を設けずに、係止爪５４を左右用湾曲操作ノブ５１の裏面に係止させることもできる。
【００５６】
各実施形態は矛盾しない範囲で相互に組み合わせてもよい。また、各実施形態では、左右用湾曲操作ノブの指掛け凹部及び、指掛け凸部の外周面に、湾曲操作ノブアタッチメントの取り付けを行ったが、指掛け凹部の外周面のみで湾曲操作ノブアタッチメントの取り付けを行ってもよい。
【００５７】
各実施形態では、湾曲操作ノブアタッチメントを左右用湾曲操作ノブに取り付けたが、上下用湾曲操作ノブに取り付けてもよい。
【符号の説明】
【００５８】
２  電子内視鏡
３  挿入部
４  操作部
７  湾曲部
１２，５１  左右用湾曲操作ノブ
３０  第１傾斜部
３２  第２傾斜部
３４  傾斜溝
３５，５３  湾曲操作ノブアタッチメント
３９  第１突出部
４１  第２突出部
４２  突条傾斜部
【図１】
0003181928.tif 000003
【図２】
0003181928.tif 000004
【図３】
0003181928.tif 000005
【図４】
0003181928.tif 000006
【図５】
0003181928.tif 000007
【図６】
0003181928.tif 000008
【図７】
0003181928.tif 000009
【図８】
0003181928.tif 000010
【図９】
0003181928.tif 000011
【図１０】
0003181928.tif 000012
【図１１】
0003181928.tif 000013
【図１２】
0003181928.tif 000014